(57)【要約】      （修正有）【課題】回転部と固定部からなる回転操作キーは、外装筐体が摺動隙間を覆う構成になっているが、回転部の側壁と外装筐体との隙間及びフランジと外装筐体との隙間を通じて摺動隙間が外部に露出しているため、隙間を介して外部から異物が侵入しやすい構成になっていた。【解決手段】固定部１ｂの側壁１ｆの外周側に回転部１ａの側壁１ｇを配置するように構成したので、摺動隙間１ｄ及び摺動面１ｅに異物が侵入することを防止することができる。【選択図】図２
2008204709.tif 000002
【特許請求の範囲】
【請求項１】
機器本体上に設置され、円形の周縁部を上方に折り曲げられた側壁を有する上方開口の箱型形状をなす固定部、この固定部上に重なって配置され、円形の周縁部を下方に折り曲げられた側壁が上記固定部の側壁の外周側に位置し、かつ、上記固定部の側壁の内周に接するリング状のリブを有する回転部を備え、上記回転部の側壁の外周には僅かな隙間を開けて上記機器本体上に設けられる外装筐体が設けられていることを特徴とする回転操作キー。
【請求項２】
固定部及び回転部の側壁は一切の切欠きが存在しない形状であることを特徴とする請求項１に記載の回転操作キー。
【請求項３】
回転部の側壁先端には該回転部の径方向に広がるフランジが形成されていることを特徴とする請求項１に記載の回転操作キー。
【請求項４】
外装筐体とフランジとの隙間が内部に向かうにつれて広くなりようにフランジが形成されていることを特徴とする請求項３に記載の回転操作キー。
【請求項５】
固定部はスペーサを介して機器本体上に設置されていることを特徴とする請求項１に記載の回転操作キー。
【発明の詳細な説明】
【技術分野】
【０００１】
本発明は、携帯電話機等の電子機器に用いられ、各種の入力操作を行なうための回転操作キーに関し、特に、液体や塵埃などの異物が外部から侵入しないようにした回転操作キーの構造に関する。
【背景技術】
【０００２】
携帯電話機の電話帳検索や各種項目の選択操作には操作性に優れた回転操作キーが用いられる。この回転操作キーは、例えば特許文献１に示されるように基本構成として固定部と回転部とからなる。図４は特許文献１に示されるような従来の回転操作キーの断面図である。
【０００３】
図４において、回転操作キー１は電子機器を収容する本体３上に設置した固定部１ｂと該固定部１ｂ上に重なって配置した回転部１ａとからなる。固定部１ｂは円形の周縁部を上方に折り曲げた側壁１ｆを有し、上方開口の箱型形状になっている。また、回転部１ａは円形の周縁部を下方に折り曲げた側壁１ｇを有し、該側壁１ｇの先端は外方に向けて延びた鍔状のフランジ１ｃが形成されている。フランジ１ｃと固定部１ｂの側壁１ｆ内周との間には僅かな摺動隙間１ｄがあり、回転部１ａはフランジ１ｃの摺動面１ｅで固定部１ｂ上を摺動して回転する。外装筐体２は回転操作キー１の回転部１ａを露出させる穴が開いており、本体３を覆う意匠筐体である。外装筐体２と回転部１ａ側壁１ｇとの間には隙間２ａが形成され、外装筐体２とフランジ１ｃとの間には隙間２ｂが形成されている。また、フランジ１ｃは回転部１ａが外装筐体２から飛出すのを防止する為のストッパの役目を果たしている。
【０００４】
この回転操作キー１は回転部１ａと一体に回転する磁石と磁界を検出するセンサーとが別途設けられており、回転部１ａの回転に伴う磁界の強さの変化をセンサーが検出することでユーザが行なう入力操作を検知するように構成されている。
【０００５】
【特許文献１】特開２００３−２８１９７２号公報
【発明の開示】
【発明が解決しようとする課題】
【０００６】
従来の回転操作キーは、外装筐体２が摺動隙間１ｄを覆う構成になっているが、回転部１ａの側壁１ｇと外装筐体２との隙間２ａ及びフランジ１ｃと外装筐体２との隙間２ｂを通じて摺動隙間１ｄが外部に露出してしまっている。このため、隙間２ａ、２ｂを介して外部から異物が侵入しやすく、侵入した異物が摺動隙間１ｄに停滞することによって、異物をかみ込み回転動作が困難になる。また不純物が混入した液体が摺動面１ｅに浸入すると、液体が蒸発した後に不純物が固化し、回転部１ａのフランジ１ｃ下部と固定部１ｂが接着されて、回転動作が行えなくなってしまう。
【０００７】
本発明は、上述した従来の問題点に鑑みてなされたものであり、摺動隙間１ｄ及び摺動面１ｅに異物が侵入することを防止した回転操作キーを得ることを目的としている。
【課題を解決するための手段】
【０００８】
本発明における回転操作キーは、機器本体上に設置され、円形の周縁部を上方に折り曲げられた側壁を有する上方開口の箱型形状をなす固定部、この固定部上に重なって配置され、円形の周縁部を下方に折り曲げられた側壁が上記固定部の側壁の外周側に位置し、かつ、上記固定部の側壁の内周に接するリング状のリブを有する回転部を備え、上記回転部の側壁の外周には僅かな隙間を開けて上記機器本体上に設けられる外装筐体が設けられている。
【発明の効果】
【０００９】
本発明によれば、固定部の側壁の外周側に回転部の側壁を配置するように構成したので、摺動隙間及び摺動面に異物が侵入することを防止できる効果がある。
【発明を実施するための最良の形態】
【００１０】
以下、本発明の実施例を、図面を参照しながら詳細に説明する。図１は本発明の実施の形態に係る回転操作キーの部品を展開して示した展開図、図２は本発明の実施の形態に係る回転操作キーの断面図である。図において、本体３上に設置された固定部１ｂは、円形の周縁部を上方に折り曲げた側壁１ｆを有しており、上方開口の箱型形状をしている。回転部１ａはこの固定部１ｂの上に重なって配置されており、円形の周縁部を下方に折り曲げた側壁１ｇが固定部１ｂの側壁１ｆの外周に位置している。回転部１ａの側壁１ｇ先端には該回転部１ａの径方向に広がる鍔状のフランジ１ｃが傘状に形成されている。このフランジ１ｃは回転部１ａが外装筐体２から飛出すのを防止する為のストッパの役目を果たすものである。また、１ｈはリング状のリブであり、その外周と固定部１ｂの側壁１ｆ内周とで摺動隙間１ｄが形成されている。リブ１ｈの先端は固定部１ｂと接して摺動する摺動面となっている。さらに、２は外装筐体、２ａは側壁１ｇと外装筐体２との隙間、２ｂはフランジ１ｃと外装筐体２との隙間である。
【００１１】
この回転操作キー１は回転部１ａと一体に回転する磁石と磁界を検出するセンサーとが別途設けられており、回転部１ａの回転に伴う磁界の強さの変化をセンサーが検出することでユーザが行なう入力操作を検知するように構成されている。
【００１２】
即ち、図２の断面形状のように回転部１ａの側壁１ｇと該側壁１ｇの内側に設置されているリブ１ｈの間に固定部１ｂの側壁１ｆが嵌る構成で回転部１ａと固定部１ｂは組み合わさっている。固定部１ｂに対し回転部１ａは回転動作を行なうため、回転部１ａのリブ１ｈと固定部１ｂの側壁１ｆの間にわずかな摺動隙間１ｄをあけている。この摺動隙間１ｄに異物が浸入してしまうと引っ掛かりなどが生じ回転部１ａが回転動作不能になってしまう。本発明では、この摺動隙間１ｄを回転部１ａの側壁１ｇとフランジ１ｃにて覆うことによって摺動隙間１ｄに異物浸入を防ぐ構造となっている。
【００１３】
図２に示すように回転部１ａで摺動隙間１ｄを覆うため、側壁１ｇ並びにフランジ１ｃの断面形状は傘のような形状をしている。側壁１ｇ並びにフランジ１ｃは切欠きなどが一切なく一様に摺動隙間１ｄを覆う形状となっている。この形状によって紛体や液体などの異物も摺動隙間１ｄに浸入することを防止できる。
【００１４】
図２に示すように回転部１ａと外装筐体２の間には回転部１ａが回転する為に隙間２ａを設けている。この隙間２ａから異物浸入を防ぐためには回転部１ａと外装筐体２との隙間２ａを狭く設定する必要がある。しかし、隙間２ａを狭く設定しても液体等の異物は隙間があればどんなに狭い隙間でも浸入してしまう。ここで、一番の問題点は回転部１ａと外装筐体２との隙間２ａに異物が停滞してしまうことである。フランジ１ｃを斜め形状にしている為に回転部１ａと外装筐体２との隙間２ａはフランジ１ｃと外装筐体２の隙間２ｂに向かって広くなっていく形状となる。この形状により、仮に回転部１ａと外装筐体２との隙間２ａから異物が浸入したとしても回転部１ａと外装筐体２との隙間２ａまたはフランジ１ｃと外装筐体２の隙間２ｂに異物が停滞せずに中に入り込むことが可能になる。
【００１５】
固定部１ｂの形状は図２に示すように上方開口の箱型形状となっている。箱型の側壁１ｆには切欠きや、穴等は一切無い形状をしている。側壁１ｆに切欠き等があり一部欠如していると固体などの異物は浸入できない可能性があるが、液体状の異物は固定部１ｂ内部に浸入してしまう。水などの異物を含まない液体であれば液体蒸発後、何も残らないが、清涼飲料水など糖分を含んだ液体や、その他の異物が溶け込んだ液体であれば、液体蒸発後に糖分や、溶け込んだ異物が固定部１ｂ内に停滞し、回転を妨げる要因となる。その為に固定部１ｂの側壁１ｆは一切の切欠きや穴等が無い形状をしている。
【００１６】
次に、図３は本発明における別の実施の形態を示した断面図であり、固定部１ｂにスペーサ４を取付けた構成をしている。スペーサ４は本体３に設置されている回転操作キー１を本体３設置面から厚み方向で遠ざける働きをする。液体状の異物が回転操作キー１と外装筐体２との隙間２ａから浸入した場合、異物は流動性が高い為、回転部１ａや本体３を伝って、回転部１ａと固定部１ｂの摺動隙間１ｄに入り込む可能性がある。この実施の形態では、スペーサ４によって固定部１ｂ自体を本体３から厚み方向で遠ざけることができる為、異物の浸入をより防ぐことができる。
【産業上の利用可能性】
【００１７】
本発明の回転操作キーは、携帯電話機の操作キーとして適用することができるものである。
【図面の簡単な説明】
【００１８】
【図１】本発明における実施の形態に係る回転操作キーの部品を展開して示した展開図である。
【図２】本発明における実施の形態に係る回転操作キーを示した断面図である。
【図３】本発明における別の実施の形態に係る回転操作キーを示した断面図である。
【図４】従来の回転操作キーを示した断面図である。
【符号の説明】
【００１９】
１ａ  回転部    １ｂ  固定部    １ｃ  フランジ    １ｄ  摺動隙間    １ｅ  摺動面    １ｆ  側壁    １ｇ  側壁    １ｈ  リブ    ２  外装筐体    ３  本体
【図１】
2008204709.tif 000003
【図２】
2008204709.tif 000004
【図３】
2008204709.tif 000005
【図４】
2008204709.tif 000006